(57)【要約】      （修正有）【課題】燃料交換運転停止の長さは、原子炉の運転コストに影響を及ぼすとともに、原子炉所有者の販売用電気生産能力にも影響を及ぼす。【解決手段】原子炉データをコンピュータシステムに入力する３０２。原子炉データをデータベースに格納する３０４。複数のクリティカルパスタスク及び各クリティカルパスタスクの推定持続時間を含む燃料交換運転停止スケジュールプロファイル案をコンピュータシステムに入力する３０６。燃料交換運転停止スケジュールプロファイル案を、最適のスケジュールを表現する所定の燃料交換運転停止スケジュールプロファイルと比較することにより、ギャップ解析を生成する３０８。タスク持続時間の調整の結果、ギャップ解析を使用して最適化燃料交換運転停止スケジュールプロファイルが得られるように、クリティカルパスタスクを判定する３１０。【選択図】      図５
2007178434.tif 000002
【特許請求の範囲】
【請求項１】
データベース（１２０）に結合されたコンピュータシステム（１１０）を使用して、原子炉の燃料交換運転停止スケジュールを最適化する方法（３００）において、
原子炉の現在の状態に関連し、現在のツーリング、プロセス及び財務データに関連する情報を含む原子炉データを前記コンピュータシステムに入力すること（３０２）と；
前記原子炉データを前記データベースに格納すること（３０４）と；
複数のクリティカルパスタスク及び前記クリティカルパスタスクの各々の推定持続時間を含む燃料交換運転停止スケジュールプロファイル案を前記コンピュータシステムに入力すること（３０６）と；
前記燃料交換運転停止スケジュールプロファイル案を、最適なスケジュールを表現する所定の燃料交換運転停止スケジュールプロファイルと比較することにより、ギャップ解析を生成すること（３０８）と；
前記タスク持続時間の調整の結果、最適化燃料交換運転停止スケジュールプロファイルが得られるように、前記ギャップ解析を使用して前記クリティカルパスタスクを判定すること（３１０）とから成る方法（３００）。
【請求項２】
前記クリティカルパスタスクを判定すること（３１０）は、前記燃料交換運転停止スケジュールプロファイルを最適化するために、前記クリティカルパスタスクがどのように調整されるかを判定すること（３１２）を更に含む請求項１記載の方法（３００）。
【請求項３】
前記データベース（１２０）は、一般履歴原子炉データ及び特定の種類の原子炉に関連する履歴原子炉データを含む請求項１記載の方法（３００）。
【請求項４】
前記特定の種類の原子炉に関連する履歴原子炉データは、最適化クリティカルパスタスクを実行するために使用されるツール及び技術に関連する情報を含む請求項１記載の方法（３００）。
【請求項５】
前記ギャップ解析の図形表現を表示することを更に含む請求項１記載の方法（３００）。
【請求項６】
特定の原子炉の種類に対する最適化クリティカルパスタスクの技術的記述を提供することを更に含む請求項１記載の方法（３００）。
【請求項７】
原子炉燃料交換運転停止スケジュールを最適化するネットワーク利用システム（１１０）において、
ブラウザを具備するユーザコンピュータシステム（１１４）と；
集中データベース（１２０）と；
前記ユーザコンピュータシステム及び前記データベースに結合されるように構成されたサーバシステム（１１２）とを具備し、前記サーバシステムは、
原子炉の現在の状態に関連し、現在のツーリング、プロセス及び財務データに関連する情報を含む原子炉データをユーザから受信し；
前記原子炉データを前記データベースに格納し；
複数のクリティカルパスタスク及び前記クリティカルパスタスクの各々の推定持続時間を含む燃料交換運転停止スケジュールプロファイル案をユーザから受信し；
前記燃料交換運転停止スケジュールプロファイル案を、最適のスケジュールを表現する所定の燃料交換運転停止スケジュールプロファイルと比較することにより、ギャップ解析を生成し；
前記タスク持続時間の調整の結果、最適化燃料交換運転停止スケジュールプロファイルが得られるように、前記ギャップ解析を使用して前記クリティカルパスタスクを判定するように更に構成されるシステム（１１０）。
【請求項８】
前記サーバシステム（１１２）は、前記燃料交換運転停止スケジュールプロファイルを最適化するために、前記クリティカルパスタスクがどのように調整されるかを判定するように更に構成される請求項７記載のシステム（１１０）。
【請求項９】
前記データベース（１２０）は、一般履歴原子炉データ及び特定の種類の原子炉に関連する履歴原子炉データを含み、前記特定の種類の原子炉に関連する履歴原子炉データは、最適化クリティカルパスタスクを実行するために使用されるツール及び技術に関連する情報を含む請求項７記載のシステム（１１０）。
【請求項１０】
前記サーバシステム（１１２）は、特定の原子炉の種類に対する最適化クリティカルパスタスクの技術的記述を提供するように更に構成される請求項７記載のシステム（１１０）。
【発明の詳細な説明】
【技術分野】
【０００１】
本発明は、一般に、原子炉に関し、特に、原子炉の燃料交換運転停止スケジュールを最適化する方法及びシステムに関する。
【背景技術】
【０００２】
沸騰水型軽水炉（ＢＷＲ）の原子炉圧力容器（ＲＰＶ）は、通常、ほぼ円筒形の形状を有し、両端部において、例えば、ボトムヘッド及び取り外し自在のトップヘッドにより閉鎖される。炉心構体はＲＰＶの内部に収納され、炉心支持板、燃料集合体、制御棒ブレード及びトップガイドを含む。炉心シュラウドは、通常、炉心構体を取り囲み、シュラウド支持構造により支持される。特に、シュラウドはほぼ円筒形の形状を有し、炉心支持板及びトップガイドの双方を取り囲む。円筒形の炉心圧力容器と円筒形のシュラウドとの間に、空間又はアニュラスが配置されている。
【０００３】
使用済み燃料集合体を交換するため、並びに炉心内部で発生される熱の均衡を保つように、様々な燃焼段階にある燃料集合体の位置を炉心内部で入れ替えるために、原子炉の運転を定期的に停止する必要がある。燃料交換運転停止中、原子炉に対して他の保守作業も実行できる。運転停止時間の長さは、原子炉の運転コストに影響を及ぼすとともに、原子炉所有者の販売用電気生産能力にも影響を及ぼす。
【特許文献１】米国特許第５，２０４，０５３号公報
【特許文献２】米国特許第６，７７２，０９８Ｂ１号公報
【発明の開示】
【０００４】
１つの面においては、データベースに結合されたコンピュータシステムを使用して、原子炉の燃料交換運転停止スケジュールを最適化する方法が提供される。方法は、原子炉の現在の状態に関連し、現在のツーリング、プロセス及び財務データに関連する情報を含む原子炉データをコンピュータシステムに入力することと；原子炉データをデータベースに格納することと；複数のクリティカルパスタスク及び各クリティカルパスタスクの推定持続時間を含む燃料交換運転停止スケジュールプロファイル案をコンピュータシステムに入力することとを含む。方法は、燃料交換運転停止スケジュールプロファイル案を、最適のスケジュールを表現する所定の燃料交換運転停止スケジュールプロファイルと比較することにより、ギャップ解析を生成することと；タスク持続時間の調整の結果、最適化燃料交換運転停止スケジュールプロファイルが得られるように、ギャップ解析を使用してクリティカルパスタスクを判定することとを更に含む。
【０００５】
別の面においては、原子炉の燃料交換運転停止スケジュールを最適化するためのネットワーク利用システムが提供される。システムは、ブラウザを具備するユーザコンピュータシステムと、集中データベースと、ユーザコンピュータシステム及びデータベースに結合されるように構成されたサーバシステムとを含む。サーバシステムは、原子炉の現在の状態に関連し、現在のツーリング、プロセス及び財務データに関連する情報を含む原子炉データをユーザから受信し、原子炉データをデータベースに格納し、複数のクリティカルパスタスク及び各クリティカルパスタスクの推定持続時間を含む燃料交換運転停止スケジュールプロファイル案をユーザから受信するように構成される。システムは、燃料交換運転停止スケジュールプロファイル案を、最適のスケジュールを表現する所定の燃料交換運転停止スケジュールプロファイルと比較することにより、ギャップ解析を生成し、タスク持続時間の調整の結果、最適化燃料交換運転停止スケジュールプロファイルが得られるように、ギャップ解析を使用してクリティカルパスタスクを判定するように更に構成される。
【０００６】
別の面においては、原子炉の燃料交換運転停止スケジュールを最適化するためのコンピュータ可読媒体において実現されるコンピュータプログラムが提供される。プログラムは、原子炉の現在の状態に関連し、現在のツーリング、プロセス及び財務データに関連する情報を含む原子炉データをユーザから受信し；原子炉データをデータベースに格納し；複数のクリティカルパスタスク及び各クリティカルパスタスクの推定持続時間を含む燃料交換運転停止スケジュールプロファイル案をユーザから受信するコードセグメントを含む。コードセグメントは、更に、燃料交換運転停止スケジュールプロファイル案を、最適のスケジュールを表現する所定の燃料交換運転停止スケジュールプロファイルと比較することにより、ギャップ解析を生成し、タスク持続時間の調整の結果、最適化燃料交換運転停止スケジュールプロファイルが得られるように、ギャップ解析を使用してクリティカルパスタスクを判定する。
【発明を実施するための最良の形態】
【０００７】
以下に、原子炉の燃料交換運転停止スケジュールの最適化を容易にする方法及びシステムの実施形態を詳細に説明する。本明細書中で説明されるシステム及び方法の技術的効果は、「ベストインクラス」運転停止スケジュールとのギャップ解析比較を利用して、原子炉運転停止スケジュールの最適化を容易にすること、短期間の運転停止を実行するために使用される運転停止スケジュール情報、ツール及び技術をユーザがインターネットを介して容易にアクセスできるようにすること、及びスケジューリングを最適化するために、ユーザが自身の運転停止スケジュールにタスク持続時間情報を容易に組み込めるようにすることのうち少なくとも１つを含む。ネットワーク利用燃料交換運転停止最適化システム（Refueling Outage Optimizer System、ＲＯＯＳ）を使用することによって、原子炉における燃料交換作業を実行するユーザは、クリティカルパスタスクの持続時間をベストインクラス運転停止スケジュールの持続時間と比較することで運転停止スケジュールを解析し、ベストインクラススケジュールによるクリティカルパスタスク実行方法を種々の詳細レベルで行なうことができる。
【０００８】
ＲＯＯＳは、ユーザが特定の原子炉プラントのプロファイルを作成するのを助ける。プロファイルは、特定のプラントと関連する現在のツーリング、現在のプロセス及び財務データなどの情報を含むことができる。ＲＯＯＳは、類似の種類の原子炉プラントの履歴原子炉プラントデータを比較のために提供できるデータベースを含む。更に、ユーザは、ＲＯＯＳを利用して、クリティカルパス運転停止タスク持続時間を含む予備燃料交換運転停止スケジュールを入力できる。クリティカルパス運転停止タスクに関連する特定の注釈及び詳細事項をシステムに入力できる。
【０００９】
ＲＯＯＳは、ユーザの運転停止スケジュール案のクリティカルパスタスク持続時間を、データベースに格納されているベストインクラス運転停止スケジュールと比較することにより、ギャップ解析を実行する。運転停止に最も大きな影響を及ぼすクリティカルパスタスクを識別するために、ユーザは、追加ドリルダウンギャップ解析を更に実行できる。ＲＯＯＳにより、ギャップ解析の図形出力を提供できる。更に、ユーザは、ＲＯＯＳを利用して、ギャップ解析においてタスク持続時間が過剰であると識別された特定のクリティカルパスタスクをベストインクラス原子炉プラントがどのように実行するかを判定できる。タスク手続きを修正することで、持続時間を短縮でき、運転停止時間をより短縮できる。
【００１０】
一実施形態においては、システムは、管理用クライアントユーザインタフェースフロントエンド並びに標準ユーザ入力及びレポート用ウェブインタフェースを伴って、例えば、Javaa及び／又はStructured Query Language（構造化照会言語、ＳＱＬ）などの適切なコンピュータ言語を利用して実現されるコンピュータ可読媒体において具現化されるコンピュータプログラムを含む（Javaは、カリフォルニア州パロアルトのSun Microsystems, Inc.の登録商標である）。一実施形態においては、システムは、ウェブでイネーブルされ、ビジネスエンティティのイントラネットにおいて実行される。別の実施形態では、システムは、ビジネスエンティティのファイアウォールの外側にいるアクセス許可を有する個人により、インターネットを介して完全にアクセスされる。更に別の実施形態においては、システムは、Windowsa環境において実行されている（Windowsは、ワシントン州レドモンドのMicrosoft Corporationの登録商標である）。アプリケーションはフレキシブルであり、主要な機能性を損なうことなく、種々の異なる環境で実行可能であるように設計される。
【００１１】
システム及びプロセスは、本明細書中で説明される特定の実施形態に限定されない。加えて、各システムの構成要素及び各プロセスは、本明細書中で説明される他の構成要素及び他のプロセスから独立して別個に実施可能である。また、各構成要素及び各プロセスは、他のアセンブリパッケージ及び他のプロセスと組み合わせて使用可能である。
【００１２】
図面を参照すると、図１は、沸騰水型軽水炉の原子炉圧力容器（ＲＰＶ）１０を示した部分切り取り断面図である。ＲＰＶ１０はほぼ円筒形であり、一端部においてボトムヘッド１２により閉鎖され、他方の端部において取り外し自在のトップヘッド１４により閉鎖される。側壁１６は、ボトムヘッド１２からトップヘッド１４まで延出する。側壁１６は、トップフランジ１８を含む。トップヘッド１４はトップフランジ１８に装着される。円筒形の炉心シュラウド２０は炉心２２を取り囲む。シュラウド２０は、一端部においてシュラウド支持体２４により支持され、他方の端部に、取り外し自在のシュラウドヘッド２６を含む。シュラウド２０と側壁１６との間に、アニュラス２８が形成される。リング形を有するポンプデッキ３０は、シュラウド支持体２４とＲＰＶ側壁１６との間に延出する。ポンプデッキ３０は複数の円形開口部３２を含み、各開口部はジェットポンプ３４を収納している。ジェットポンプ３４は、炉心シュラウド２０の周囲に沿って分散配置されている。入口昇水管３６は、中間構体３８により２つのジェットポンプ３４に結合される。各ジェットポンプ３４は、入口ミキサ４０、ディフューザ４２及びテールパイプ構体４３を含む。入口昇水管３６及びそれに結合される２つのジェットポンプ３４は、ジェットポンプ構体４４を形成する。
【００１３】
核融合可能材料から成る燃料集合体４６を含む炉心２２の内部で、熱出力が発生される。炉心２２を通って上方へ循環される水は、少なくとも部分的に蒸気に変換される。気水分離器４８は蒸気を水から分離し、水は再循環される。残留水は、蒸気乾燥器５０により蒸気から除去される。蒸気は、容器のトップヘッド１４の付近にある蒸気出口５２を通ってＲＰＶ１０から出る。
【００１４】
炉心２２において発生される熱出力の量は、例えば、炭化ホウ素などの中性子吸収材料から成る制御棒５４を挿入及び引き出すことにより調整される。炉心２２内部の燃料集合体４６の間に制御棒５４が挿入される程度に応じて、制御棒５４は、制御棒がなければ、炉心２２において熱出力を発生する連鎖反応を促進する中性子を吸収する。制御棒案内管５６は、挿入及び引き出しの間の制御棒５４の垂直運動を維持する。制御棒駆動装置５８は、制御棒５４の挿入及び引き出しを実行する。制御棒駆動装置５８はボトムヘッド１２を貫通する。
【００１５】
燃料集合体４６は、炉心２２の底部に配置された炉心板６０により整列される。トップガイド６２は、燃料集合体４６が炉心２２の中へ降下されるときに、燃料集合体４６を整列させる。炉心板６０及びトップガイド６２は、炉心シュラウド２０により支持される。
【００１６】
図２は、原子炉の燃料交換運転停止スケジュールを最適化するネットワーク利用システム１１０を示した簡略化ブロック図である。システム１１０は、サーバシステム１１２と、クライアントシステム１１４とも呼ばれる複数のユーザサブシステムとを含む。クライアントシステム１１４はサーバシステム１１２に接続される。一実施形態においては、クライアントシステム１１４がインターネットを介してサーバシステム１１２をアクセスできるように、クライアントシステム１１４はウェブブラウザを含むコンピュータである。クライアントシステム１１４は、ローカルエリアネットワーク（ＬＡＮ）又はワイドエリアネットワーク（ＷＡＮ）などのネットワーク、ダイアルイン接続、ケーブルモデム及び特殊高速ＩＳＤＮ回線を含む数多くのインタフェースを介して、インターネットに接続される。クライアントシステム１１４は、ウェブ利用電話、パーソナルデジタルアシスタント（ＰＤＡ）又は他のウェブ利用接続可能機器を含めて、インターネットに接続可能である任意の装置であってよい。データベースサーバ１１６は、以下に更に詳細に説明されるような多様な事項に関する情報を含むデータベース１２０に接続される。一実施形態においては、サーバシステム１１２に集中データベース１２０が格納される。データベース１２０は、クライアントシステム１１４の１つを使用する潜在ユーザがクライアントシステム１１４の１つを介してサーバシステム１１２にログオンすることによりアクセス可能である。別の実施形態においては、データベース１２０は、サーバシステム１１２から離れた場所に格納され、分散型であってもよい。
【００１７】
図３は、システム１２２のサーバアーキテクチャの一実施形態を示した拡張バージョンブロック図である。図３において、システム１１０（図２に示される）の構成要素と同一であるシステム１２２の構成要素は、図２で使用されたのと同一の図中符号を使用して識別される。システム１２２は、サーバシステム１１２及びクライアントシステム１１４を含む。サーバシステム１１２は、データベースサーバ１１６、アプリケーションサーバ１２４、ウェブサーバ１２６、ファックスサーバ１２８、ディレクトリサーバ１３０及びメールサーバ１３２を更に含む。ディスク記憶装置１３４は、データベースサーバ１１６及びディレクトリサーバ１３０に結合される。サーバ１１６、１２４、１２６、１２８、１３０及び１３２は、ローカルエリアネットワーク（ＬＡＮ）１３６で結合される。更に、システム管理責任者のワークステーション１３８、ユーザワークステーション１４０及びスーパバイザのワークステーション１４２もＬＡＮ１３６に結合される。あるいは、ワークステーション１３８、１４０及び１４２は、インターネットリンクを介してＬＡＮ１３６に結合されるか又はイントラネットを介して接続される。
【００１８】
各ワークステーション１３８、１４０及び１４２は、ウェブブラウザを有するパーソナルコンピュータである。ワークステーションにおいて実行される機能は、通常、それぞれのワークステーション１３８、１４０及び１４２で実行されるように図示されるが、それらの機能は、ＬＡＮ１３６に結合された多数のパーソナルコンピュータのうちの１つのコンピュータでも実行可能である。単に、ＬＡＮ１３６をアクセスする各個人により実行可能な異なる種類の機能を理解しやすくするために、ワークステーション１３８、１４０及び１４２は、別個の機能と関連するものとして示される。一実施形態においては、クライアントシステム１１４は、燃料交換運転停止スケジュールプロファイルを検討するために内部ユーザ又は指定外部ユーザにより使用可能なワークステーション１４０を含む。
【００１９】
サーバシステム１１２は、ＩＳＰインターネット接続１４８を介して従業員１４４及び第三者、例えば、指定外部ユーザ１４６を含む様々な個人に通信自在に結合されるように構成される。本実施形態においては、通信はインターネットを介して実行されるものとして示されるが、他の実施形態では、他の任意のワイドエリアネットワーク（ＷＡＮ）型通信を利用できる。すなわち、システム及びプロセスは、インターネットを介する実施に限定されない。更に、ＷＡＮ１５０の代わりに、ローカルエリアネットワーク１３６を使用することも可能である。
【００２０】
本実施形態においては、ワークステーション１５４を有する許可された任意の個人がシステム１２２をアクセスできる。クライアントシステムのうち少なくとも１つは、遠隔場所に配置されたマネージャワークステーション１５６を含む。ワークステーション１５４及び１５６は、ウェブブラウザを有するパーソナルコンピュータである。また、ワークステーション１５４及び１５６は、サーバシステム１１２と通信するように構成される。更に、ファックスサーバ１２８は、クライアントシステム１５６を含めて、遠隔場所に配置されたクライアントシステムと電話リンクを介して通信する。ファックスサーバ１２８は、他のクライアントシステム１３８、１４０及び１４２とも通信するように構成される。
【００２１】
図４は、図２に示されるサーバシステム１１２のデータベースサーバ１１６内部のデータベース１２０の構成を示す。データベース１２０は、サーバシステム１１２内部の、それぞれ特定のタスクを実行するいくつかの別個のコンピュータソフトウェアコンポーネントに結合される。本実施形態においては、サーバシステム１１２は、ユーザからのデータをデータベース１２０に収集する収集コンポーネント１６４と、データを追跡する追跡コンポーネント１６６と、情報を表示するための表示コンポーネント１６８とを含む。追跡コンポーネント１６６はデータを追跡し、既存のデータを修正することを含めて、データを相互参照する。
【００２２】
サーバシステム１１２は、クライアントシステム１１４から特定の問い合わせを受信するための受信コンポーネント１７０と、データ記憶装置１３４内部のデータをアクセスするためのアクセスコンポーネント１７２とを更に含む。受信コンポーネント１７０は、複数のユーザのうち１人からの問い合わせを受信するようにプログラムされる。サーバシステム１１２は、収集コンポーネント１６４により収集された種々の情報を含むデータベース１２０に照らして、受信された問い合わせを検索及び処理する処理コンポーネント１７６を更に含む。サーバシステム１１２に配置された情報遂行コンポーネント１７８は、受信コンポーネント１７０により受信された要求に応答して、要求された情報を複数のユーザへダウンロード可能にする。情報遂行コンポーネント１７８は、検索コンポーネント１８０によりデータベース１２０から情報が検索された後に、情報をダウンロードする。検索コンポーネント１８０は、クライアントシステム１１４から受信した問い合わせに基づいて、情報を検索し、ダウンロードし、クライアントシステム１１４へ送信する。
【００２３】
検索コンポーネント１８０は、クライアントシステムのグラフィカルユーザインタフェースに表示する情報をダウンロードするように構成されたディスプレイコンポーネント１８４と、情報を印刷するように構成された印刷コンポーネント１８６とを更に含む。検索コンポーネント１８０は、クライアントシステム１１４を介してユーザにより要求されたレポートを所定のフォーマットで生成する。システム１１０は、所定のフォーマット以外の種類のレポートを提供する融通性を有し、ここで挙げたオプションに拘束されない。
【００２４】
サーバシステム１１２は、通知コンポーネント１８８及び提供コンポーネント１９０を更に含む。通知コンポーネント１８８は、サーバシステム１１２に入力された情報に基づいて、クライアントシステム１１４へメッセージを電子送信し、ギャップ解析の状態をユーザに通知する。提供コンポーネント１９０は、ギャップ解析の解説及びどの種類のアクションが推奨されるかを要約したレポートをマネージャワークステーション１５６（図３に示される）へ電子的に提供する。
【００２５】
一実施形態においては、収集コンポーネント１６４、追跡コンポーネント１６６、表示コンポーネント１６８、受信コンポーネント１７０、処理コンポーネント１７６、情報遂行コンポーネント１７８、検索コンポーネント１８０、ディスプレイコンポーネント１８４、印刷コンポーネント１８６、通知コンポーネント１８８及び提供コンポーネント１９０は、コンピュータ可読媒体で実現されるコンピュータプログラムである。
【００２６】
データベース１２０は、原子炉プラントプロファイル部分１９２、スケジュールプロファイル部分１９４、ベストインクラス部分１９６、ツール部分１９８、通信部分２００、ヘルプ部分２０２及びログオフ部分２０４に分割される。
【００２７】
原子炉プラントプロファイル部分１９２は、特定の原子炉の現在の状態に関連する特定原子炉プラントデータを含む。原子炉データは、現在のツーリングに関連する情報と、原子炉プラントに関する財務データとを含む。原子炉プラントプロファイル部分１９２は、一般履歴データと、特定の種類の原子炉に関連する履歴データとを更に含む。特定の種類の原子炉に関連する履歴データは、最適化クリティカルパスタスクを実行するために使用されるツール及び技術に関連する情報を含む。
【００２８】
スケジュールプロファイル部分１９４は、ユーザにより入力された特定の原子炉に関する燃料交換運転停止スケジュールプロファイル案に関連するデータを含む。燃料交換運転停止スケジュールプロファイル案は、複数のクリティカルパスタスク及びクリティカルパスタスクの推定持続時間に関するデータを含む。燃料交換運転停止スケジュールプロファイル案は、非クリティカルパスタスクに関するデータを更に含むことができる。
【００２９】
ベストインクラス部分１９６は、複数の種類の原子炉に対するベストインクラス運転停止スケジュールプロファイルに関連するデータを含む。各ベストインクラス運転停止スケジュールプロファイルは、特定の種類の原子炉に対して最適な運転停止スケジュールを表現する。特定のベストインクラス原子炉プラントが特定のタスクをどのように実行するかをユーザに判定させるために、ベストインクラスデータは、クリティカルパスプロセスの詳細を更に含む。
【００３０】
ツール部分１９８は、ユーザがデータベース１２０に格納された情報をアクセスすることを可能にし、他の原子炉資源へのリンクをユーザに提供する。
【００３１】
通信部分２００を利用して、ユーザは、データベース１２０に格納された情報をアクセスできる。通信部分２００は、類似の種類の原子炉プラントのユーザからの履歴通信及び現在状態通信に対する有効なリンクを提供する（例えば、Ｅメール、通信文、メモなど）。
【００３２】
ヘルプ部分２０２は、システム１１０（図１に示される）に関連する追加情報リンクを表示する。本実施形態においては、ヘルプ部分２０２は、ユーザガイドリンク、定義済み用語の用語集リンク、頻繁に尋ねられる質問のリンク、クイックリファレンスカードリンク及びフィードバックリンクを含む。
【００３３】
ログオフ部分２０４は、ユーザがシステム１１０（図１に示される）のログオフを実行することを可能にする。
【００３４】
システム１１０は、種々の機密データを累積しており、システム１１０のセキュリティ及びシステム１１０へのアクセスを制御及び監視するために、複数の異なるアクセスレベルを有する。アクセスの許可は、システム管理責任者により、必知事項であるか否かに応じて割り当てられる。一実施形態においては、アクセスは、ジョブ機能に基づいて与えられる。別の実施形態では、システム１１０は、ビジネスエンティティに基づいてアクセスを与える。許可された個人のみがシステムに存在するデータの修正又は編集を実行するためのアクセスを得るように保証するために、システム１１０内部の管理／編集能力も制限される。システム１１０は、システムデータ及び情報に対するアクセスを管理及び制御する。
【００３５】
システム１１０のアーキテクチャ並びにシステム１１０の種々の構成要素は、単なる例である。他のアーキテクチャも可能であり、以下に説明されるプロセスの実行と関連して利用可能である。
【００３６】
図５は、本発明の一実施形態に従って原子炉燃料交換運転停止スケジュールを最適化する方法３００を示したフローチャートである。方法３００は、原子炉の現在の状態に関連する原子炉データをシステム１１０に入力するステップ３０２と、原子炉データをデータベース１２０に格納するステップ３０４とを含む。原子炉データは、原子炉プラントに関する現在のツーリング、現在のプロセス及び財務データに関連する情報を含む。
【００３７】
方法３００は、燃料交換運転停止スケジュールプロファイル案をシステム１１０に入力するステップ３０６を更に含む。燃料交換運転停止スケジュールプロファイル案は、スケジュール案のクリティカルパスタスク及び各クリティカルパスタスクの推定持続時間を含む。別の実施形態においては、非クリティカルパスタスクの持続時間も含まれる。
【００３８】
方法３００は、運転停止スケジュール案をベストインクラス運転停止スケジュールと比較することにより、ギャップ解析を生成するステップ３０８を更に含む。特に、スケジュール案のクリティカルパスタスクは、ベストインクラス運転停止スケジュールのクリティカルパスタスクと比較される。他の実施形態においては、非クリティカルパスタスクもベストインクラススケジュールと比較される。また、システム１１０により、ギャップ解析の図形表現を表示できる。
【００３９】
方法３００は、タスク持続時間の調整の結果、ベストインクラス運転停止スケジュールに類似する運転停止スケジュールプロファイルが得られるように、ギャップ解析を使用してクリティカルパスタスクを判定するステップ３１０を更に含む。更に、方法３００は、運転停止スケジュールを最適化するために、ベストインクラス原子炉プラントがクリティカルパスタスクのステップをどのようにして実行するかを検討することにより、クリティカルパスタスクをどのように調整すべきかを判定し、特定の種類のベストインクラス原子炉の最適化クリティカルパスの技術的情報及び記述を提供するステップ３１２を含む。
【００４０】
以上説明した方法及びシステムは、ウェブを利用し、ユーザが使いやすく、ユーザの燃料交換運転停止スケジュールを類似の種類の原子炉プラントのベストインクラス運転停止スケジュールと比較することにより、ユーザが容易にギャップ解析を実行できるシステムを提供する。また、上述の方法及びシステムによると、ユーザのスケジュールを最適化するためにタスク持続時間情報をユーザのスケジュールに組み込むことにより、ユーザは、より短期間の燃料交換運転停止を実行するためのツール及び技術と共に、スケジュール情報をアクセスすることができる。
【００４１】
種々の特定の実施形態に関して本発明を説明したが、特許請求の範囲の趣旨の範囲内で変形を伴って本発明を実施できることが当業者には認識されるであろう。
【図面の簡単な説明】
【００４２】
【図１】沸騰水型軽水炉を示した部分切り取り概略断面図である。
【図２】本発明の一実施形態に従って原子炉の燃料交換運転停止スケジュールを最適化するシステムを示した簡略化ブロック図である。
【図３】図２に示されるシステムのサーバアーキテクチャの一実施形態を示した拡張バージョンブロック図である。
【図４】図２に示されるシステムの中のデータベースの構成を示した図である。
【図５】本発明の一実施形態に従って原子炉の燃料交換運転停止スケジュールを最適化する方法を示した概略フローチャートである。
【符号の説明】
【００４３】
１０…原子炉圧力容器（ＲＰＶ）、１１０…ネットワーク利用システム、１１２…サーバシステム、１１４…クライアントシステム、１１６…データベースサーバ、１２０…データベース
【図１】
2007178434.tif 000003
【図２】
2007178434.tif 000004
【図３】
2007178434.tif 000005
【図４】
2007178434.tif 000006
【図５】
2007178434.tif 000007
【外国語明細書】
2007178434000001.pdf